(57)【要約】【課題】電力量計の各外部端子の位置がメーカーや機種毎に異なっても、電力量計の各外部端子と試験装置の電源側とを容易に結線できる電力量計用結線器を提供する。【解決手段】電力量計用結線器１０は、下面に設けられた下方外部端子２と側面に設けられた側方外部端子３とを有する電力量計１と、試験装置の電源側とを結線するものである。電力量計用結線器１０は、固定フレーム１１と、電源側に接続され下方外部端子２内に挿入自在の複数の割端子２１ａ−２１ｅが取付けられた移動フレーム４０とを備えている。このうち各割端子２１ａ−２１ｅは、移動フレーム４０内で左右方向に移動可能となっている。また固定フレーム１１に、各割端子２１ａ−２１ｅの位置決めおよび突出高さを変化させる着脱可能な位置決めブロック３１が設けられ、各割端子２１ａ−２１ｅは、内部に挿入された押出ピン２２により開閉自在となっている。【選択図】図１
2008185402.tif 000002
【特許請求の範囲】
【請求項１】
下面に設けられた複数の円筒形状からなる下方外部端子と側面に設けられた側方外部端子とを有する電力量計と、試験装置の電源側とを結線する電力量計用結線器において、
固定フレームと、
固定フレームに対して前後方向に移動可能な移動フレームと、
移動フレームに取付けられるとともに、電源側に接続され下方外部端子内に挿入自在の複数の割端子とを備え、
各割端子は、移動フレーム内で左右方向に移動可能となり、固定フレームに、各割端子の位置決めおよび割端子の突出高さを変化させる着脱可能な位置決めブロックが設けられ、
各割端子は、内部に挿入された押出ピンにより開閉自在となることを特徴とする電力量計用結線器。
【請求項２】
移動フレームは、移動フレーム本体と、移動フレーム本体に対して上下方向に移動自在の上下移動体とを有し、上下移動体は移動フレーム本体に取付けられた上下駆動機構により上下方向に移動し、
各押出ピンは上下移動体により保持され、上下移動体とともに上下方向に移動することを特徴とする請求項１に記載の電力量計用結線器。
【請求項３】
移動フレームの移動フレーム本体に、側方外部端子に当接自在の電圧端子が揺動自在に取付けられ、電圧端子は、上下移動体の上下方向移動を揺動運動に変換する揺動機構により揺動して側方外部端子に当接することを特徴とする請求項２に記載の電力量計用結線器。
【請求項４】
電圧端子は、移動フレームの移動フレーム本体に左右方向に移動可能に取付けられていることを特徴とする請求項２または３に記載の電力量計用結線器。
【請求項５】
電圧端子は、係合突部を有するとともに左右に移動可能なスライド機構を介して移動フレームの移動フレーム本体に取付けられ、
位置決めブロックに、係合凹部が形成され、
スライド機構の係合突部を位置決めブロックの係合凹部に係合させ、これにより電圧端子を左右方向に位置決め可能となっていることを特徴とする請求項４に記載の電力量計用結線器。
【請求項６】
位置決めブロックの長手方向一側面側に、各割端子に対応する複数の切欠部が形成されていることを特徴とする請求項１乃至５のいずれかに記載の電力量計用結線器。
【請求項７】
移動フレームに把手部材が取付けられ、把手部材を引くことにより移動フレームを前方に移動させ、これにより位置決めブロックから各割端子を引離し、位置決めブロックを交換可能となっていることを特徴とする請求項６に記載の電力量計用結線器。
【発明の詳細な説明】
【技術分野】
【０００１】
本発明は、下面に設けられた複数の円筒形状からなる下方外部端子と側面に設けられた側方外部端子とを有する電力量計と、試験装置の電源側とを結線する電力量計用結線器に係り、とりわけ多種類の大電流電力量計の性能試験を行なう際、各電力量計の各外部端子の位置が異なっても容易に結線できる電力量計用結線器に関する。
【背景技術】
【０００２】
従来より、試験装置を用いて、電力量計が所定の規格を満たしているかを検査する性能試験（検定試験）が行なわれている。このような性能試験を行なう場合、試験装置の電源側の接続導線と電力量計の各外部端子とを結線する必要がある。しかしながら、とりわけ定格電流が１２０Ａの電力量計（以下、大電流電力量計ともいう）は、各メーカーや機種毎に電力量計の各外部端子間の寸法が異なること、また発熱などの問題が生じることにより、自動で結線作業を行なうことが難しい。このため、試験装置と大電流電力量計との間の結線作業は、ドライバなどを用いて手作業で行なわれることが多い。
【０００３】
また、試験装置と大電流電力量計との間の結線作業を自動で行なう大電流電力量計用の自動結線器として、例えば特許文献１に記載されたものが知られている。この自動結線器は、結線器受け台に対してスライド自在に取付けられた電流端子を有している。この電流端子は、性能試験の際、各電力量計の種類に合わせて左右にスライドされた後、電力量計の筒状端子内に挿入されて筒状端子の内壁に当接する。
【０００４】
しかしながら、特許文献１に記載された自動結線器において、各電流端子を左右方向にスライドすることはできるが、各電流端子の位置を上下方向に調整することは難しい。すなわち、電力量計の下方外部端子の構造が各メーカーや機種毎に若干異なり、例えば筒状端子内のネジの高さ位置も若干異なるため、下方外部端子内に挿入される結線器の電流端子は上下方向に調節できることが望ましい。
【０００５】
また、特許文献１に記載された自動結線器において、電力量計の側方外部端子に自動で当接可能な電圧端子は設けられていない。
【特許文献１】特開２００１−２３５５２７号公報
【特許文献２】実開昭５９−１２９１７３号公報
【特許文献３】実開昭６０−５９３６９号公報
【発明の開示】
【発明が解決しようとする課題】
【０００６】
本発明はこのような点を考慮してなされたものであり、多種類の大電流電力量計の性能試験を行なう際、電力量計の各外部端子の位置がメーカーや機種毎に異なっても、電力量計の各外部端子と試験装置の電源側とを容易に結線できる電力量計用結線器を提供することを目的とする。
【課題を解決するための手段】
【０００７】
本発明は、下面に設けられた複数の円筒形状からなる下方外部端子と側面に設けられた側方外部端子とを有する電力量計と、試験装置の電源側とを結線する電力量計用結線器において、固定フレームと、固定フレームに対して前後方向に移動可能な移動フレームと、移動フレームに取付けられるとともに、電源側に接続され下方外部端子内に挿入自在の複数の割端子とを備え、各割端子は、移動フレーム内で左右方向に移動可能となり、固定フレームに、各割端子の位置決めおよび割端子の突出高さを変化させる着脱可能な位置決めブロックが設けられ、各割端子は、内部に挿入された押出ピンにより開閉自在となることを特徴とする電力量計用結線器である。
【０００８】
本発明は、移動フレームは、移動フレーム本体と、移動フレーム本体に対して上下方向に移動自在の上下移動体とを有し、上下移動体は移動フレーム本体に取付けられた上下駆動機構により上下方向に移動し、各押出ピンは上下移動体により保持され、上下移動体とともに上下方向に移動することを特徴とする電力量計用結線器である。
【０００９】
本発明は、移動フレームの移動フレーム本体に、側方外部端子に当接自在の電圧端子が揺動自在に取付けられ、電圧端子は、上下移動体の上下方向移動を揺動運動に変換する揺動機構により揺動して側方外部端子に当接することを特徴とする電力量計用結線器である。
【００１０】
本発明は、電圧端子は、移動フレームの移動フレーム本体に左右方向に移動可能に取付けられていることを特徴とする電力量計用結線器である。
【００１１】
本発明は、電圧端子は、係合突部を有するとともに左右に移動可能なスライド機構を介して移動フレームの移動フレーム本体に取付けられ、位置決めブロックに、係合凹部が形成され、スライド機構の係合突部を位置決めブロックの係合凹部に係合させ、これにより電圧端子を左右方向に位置決め可能となっていることを特徴とする電力量計用結線器である。
【００１２】
本発明は、位置決めブロックの長手方向一側面側に、各割端子に対応する複数の切欠部が形成されていることを特徴とする電力量計用結線器である。
【００１３】
本発明は、移動フレームに把手部材が取付けられ、把手部材を引くことにより移動フレームを前方に移動させ、これにより位置決めブロックから各割端子を引離し、位置決めブロックを交換可能となっていることを特徴とする電力量計用結線器である。
【発明の効果】
【００１４】
本発明によれば、各割端子は移動フレーム内で左右方向に移動可能となり、固定フレームに、各割端子の位置決めおよび割端子の突出高さを変化させる着脱可能な位置決めブロックが設けられているので、電力量計の各下方外部端子の間隔や内部構造が各メーカーや機種毎に異なっても、容易に各割端子の位置を調整することができる。
【００１５】
また、本発明によれば、各割端子は、内部に挿入された押出ピンにより開閉自在となるので、各割端子を確実に下方外部端子の内壁に当接させることができる。
【００１６】
さらに、本発明によれば、上下移動体は移動フレーム本体に取付けられた上下駆動機構により上下方向に移動し、各押出ピンは、上下移動体により保持され、上下移動体とともに上下方向に移動するので、簡単な構造で割端子を開閉することができる。
【００１７】
さらにまた、本発明によれば、電圧端子は、揺動機構により揺動して電力量計の側方外部端子に当接するので、電圧端子と側方外部端子とを自動で容易に当接させることができる。
【００１８】
さらにまた、本発明によれば、電圧端子は、移動フレームの移動フレーム本体に左右方向に移動可能に取付けられているので、電力量計の各側方外部端子の位置および各側方外部端子間の寸法が各メーカーや機種毎に異なっても、各電圧端子の左右方向の位置を容易に調整することができる。
【００１９】
さらにまた、本発明によれば、スライド機構の係合突部を位置決めブロックの係合凹部に係合させることができるので、各電圧端子を容易に位置決めすることができる。
【００２０】
さらにまた、本発明によれば、位置決めブロックの長手方向一側面側に、各割端子に対応する複数の切欠部が形成されているので、各割端子を対応する切欠部に容易に位置決めすることができる。すなわち各割端子を１つずつ移動する必要がなく、各切欠部により割端子を誘導して適切な位置に配置することができる。
【００２１】
さらにまた、本発明によれば、把手部材を引くことにより移動フレームを前方に移動させることができるので、性能試験の対象となる各電力量計に応じて、位置決めブロックを容易に交換することができる。
【発明を実施するための最良の形態】
【００２２】
以下、本発明の一実施の形態について、図１乃至図７を参照して説明する。
ここで、図１は、本発明の一実施の形態を示す正面図であり、図２は、本発明の一実施の形態を示す側面図である。また図３は、本発明の一実施の形態を示す平面図であり、図４は、割端子および押出ピンの側断面図である。また図５は、電圧端子およびスライド機構を示す拡大正面図であり、図６は、位置決めブロックの斜視図である。また図７は、揺動機構の案内ブロックを示す拡大側面図である。
【００２３】
まず、図１乃至図４、および図６により、本実施の形態による電力量計用結線器の概略について説明する。
図１に示すように、電力量計用結線器１０は、下面に設けられた複数の円筒形状からなる下方外部端子２と側面に設けられた側方外部端子３とを有する電力量計１と、試験装置の電源側とを結線するものである。すなわち測定する電力量計１は、電力量計用結線器１０の上方に配置され、電力量計用結線器１０を介して試験装置に接続される。
【００２４】
この電力量計用結線器１０は、試験装置本体に固定された固定フレーム１１と、固定フレーム１１に対して前後方向に移動可能な移動フレーム４０と、移動フレーム４０に取付けられるとともに、試験装置の電源側に接続され下方外部端子２内に挿入自在の複数（例えば５つ）の割端子２１ａ−２１ｅとを備えている。
【００２５】
このうち割端子２１ａ−２１ｅは、それぞれ１Ｓ端子（符号２１ａ）、Ｐ２端子（符号２１ｂ）、３Ｓ端子（符号２１ｃ）、３Ｌ端子（符号２１ｄ）、および１Ｌ端子（符号２１ｅ）に対応している。また図２および図３に示すように、各割端子２１ａ−２１ｅに、それぞれ細長い金属板２３が取付けられ、各金属板２３の一端に、電源側からの導線を接続するためのねじ２４が取付けられている。すなわち各割端子２１ａ−２１ｅは、それぞれ金属板２３およびねじ２４を介して電源側と導通するようになっている。
【００２６】
さらに、各金属板２３の他端に、非導電性の樹脂ブロック２５がそれぞれ取付けられている。この各樹脂ブロック２５の左右方向の幅は、それぞれ対応する各割端子２１ａ−２１ｅおよび金属板２３の左右方向の幅より厚くなっている。したがって、隣接する樹脂ブロック２５同士を互いに接近させても、隣接する各割端子２１ａ−２１ｅ同士あるいは金属板２３同士が接触して短絡しないようになっている。
【００２７】
また各割端子２１ａ−２１ｅは、移動フレーム４０内で上述した押出ピン２２、金属板２３、および樹脂ブロック２５と一体となって左右方向に移動可能となっている。この各割端子２１ａ−２１ｅは、上方から見て４つに分割されており、それぞれ内部に挿入された押出ピン２２により開閉自在となっている。
【００２８】
すなわち図４に示すように、各割端子２１ａ−２１ｅ、金属板２３、および樹脂ブロック２５は、移動フレーム４０の移動フレーム本体４１（後述）に対して上下方向に固定されており、移動フレーム４０の上下移動体４２（後述）が上下動しても上下方向に移動しない。これに対して、各押出ピン２２は、移動フレーム４０の上下移動体４２（後述）に支持ブロック４４および取付ボルト４５を介して保持されているので、上下移動体４２が上下動するのに連動して各押出ピン２２も上下方向に移動する。このようにして、押出ピン２２が上昇した場合に各割端子２１ａ−２１ｅは開とされ、逆に押出ピン２２が下降した場合に各割端子２１ａ−２１ｅは閉とされる。
【００２９】
また固定フレーム１１に、各割端子２１ａ−２１ｅの位置決めおよび各割端子２１ａ−２１ｅの突出高さを変化させる着脱可能な位置決めブロック３１が設けられている。すなわち図６に示すように、位置決めブロック３１は、中央の隆起部３３と左右端の各平坦部３４とからなっている。このうち各平坦部３４に、それぞれ固定フレーム１１の位置決めピン１２を挿入するための取付穴３５が形成されている。また一方の平坦部３４に、後述するスライド機構６０の係合突部７１を係合させるための係合凹部３６が形成されている。
【００３０】
さらに、位置決めブロック３１の長手方向一側面側に、各割端子２１ａ−２１ｅに対応する複数（例えば５つ）の切欠部３２が形成されている。各切欠部３２は、中央から一側面側に向かって切欠の幅が徐々に広くなっている。このような位置決めブロック３１は、性能試験を行なう電力量計に対応してメーカーや機種毎に複数種類用意され、それぞれ各切欠部３２の位置や隆起部３３の高さが互いに異なっている。
【００３１】
次に、移動フレーム４０について図１乃至図３を参照して説明する。
図１乃至図３に示すように、移動フレーム４０は、固定底板１４上に設置された２本のガイド機構１３を介して固定フレーム１１に取付けられている。すなわち移動フレーム４０は、上述したように固定フレーム１１に対して前後方向に移動可能となっている。
【００３２】
この移動フレーム４０は、移動フレーム本体４１と、ボルト５０により移動フレーム本体４１と一体に固定された移動底板４６と、移動フレーム本体４１に対して上下方向に移動自在の上下移動体４２とを有している。このうち上下移動体４２は、移動底板４６を介して移動フレーム本体４１に取付けられた空圧シリンダ（上下駆動機構）４３により、上下方向に移動可能となっている。また空圧シリンダ４３は、ホース４８を介して電磁弁４７に接続され（図３参照）、電磁弁４７に入力される電気信号に応じて加圧空気により上下移動体４２を上下に移動させる。
【００３３】
また図１乃至図３に示すように、把手部材４９が移動底板４６を介して移動フレーム４１に取付けられている。この把手部材４９を引くことにより移動フレーム４１を前方に移動させ、これにより位置決めブロック３１から各割端子２１ａ−２１ｅを引離し、位置決めブロック３１を交換可能となっている。また移動フレーム４１と固定底板１４との間に２本のバネ（付勢体）５１が介在されている。これにより、把手部材４９を引くのを止めた際移動フレーム４１が後方に移動され、各割端子２１ａ−２１ｅがそれぞれ対応する位置決めブロック３１の切欠部３２内の定位置に配置される。
【００３４】
次に、図１乃至図３、および図５を用いて、電圧端子５５ａ、５５ｂについて説明する。
電圧端子５５ａ、５５ｂは、それぞれＰ１端子（符号５５ａ）、Ｐ３端子（符号５５ｂ）に対応するものである。これら各電圧端子５５ａ、５５ｂは、それぞれ側方外部端子３、３に当接自在であり、後述するスライド機構６０および揺動機構７０を介して移動フレーム４０の移動フレーム本体４１に左右方向に移動可能かつ揺動自在に取付けられている。
【００３５】
この電圧端子５５ａ、５５ｂは、上下移動体４２の上下方向移動を揺動運動に変換する揺動機構７０（後述）により揺動して電力量計１の側方外部端子３、３に当接するようになっている。すなわち、上下移動体４２が上昇すると、これに連動して電圧端子５５ａ、５５ｂがともに後方向に揺動して電力量計１の側方外部端子３、３に当接する（図２の仮想線）。これに対し、上下移動体４２が下降すると、電圧端子５５ａ、５５ｂがともに前方向に揺動して電力量計１の側方外部端子３、３から離間する（図２の実線）。
【００３６】
次に、スライド機構６０について図５および図７を参照して説明する。
図５に示すように、スライド機構６０は、上側ガイド機構６３を介して前面板５６に左右方向移動自在に取付けられた上側スライド体６１と、下側ガイド機構６４を介して上下移動体４２に左右方向移動自在に取付けられた下側スライド体６２とを有している。
【００３７】
また、上側スライド体６１の左右端に支持棒６８がそれぞれ固定され、各支持棒６８は、下側スライド体６２の左右端にそれぞれ遊挿されている。したがって、スライド機構６０の上側スライド体６１および下側スライド体６２は、上側ガイド機構６３および下側ガイド機構６４を介して一体として左右にスライドする。このようにして、電圧端子５５ａ、５５ｂは、スライド機構６０を介して移動フレーム４０の移動フレーム本体４１に左右方向に移動可能に取付けられている。
【００３８】
また、スライド機構６０の左端に係合突部７１が設けられている。この係合突部７１を位置決めブロック３１の係合凹部３６に係合させ、これにより電圧端子５５ａ、５５ｂを左右方向に位置決め可能となっている。
【００３９】
すなわち係合突部７１前方に設けられたレバー７２を前方に引くことにより、係合突部７１と係合凹部３６との係合が解除され、スライド機構６０を左右方向に移動することができる。その後、レバー７２を引くのを止めると、図示しないバネによりレバー７２が元の位置に戻されて係合突部７１が係合凹部３６に係合し、これによりスライド機構６０が左右方向に固定される。
【００４０】
さらに、スライド機構６０の前方に揺動機構７０が配置されている。この揺動機構７０は、上述したように、上下移動体４２の上下方向移動を揺動運動に変換して電圧端子５５ａ、５５ｂを揺動させるものである。
【００４１】
すなわち図５に示すように、揺動機構７０は、電圧端子５５ａ、５５ｂの間に配置された案内ブロック６７と、案内ブロック６７に固定されるとともに下側スライド体６２に挿入された中心棒６９と、電圧端子５５ａ、５５ｂおよび案内ブロック６７内を貫通する上側丸棒６５とを有している。
【００４２】
このうち案内ブロック６７は、図７に示すように、上側丸棒６５が貫通する縦長の上側案内溝６７ａと、下側丸棒６６が貫通する斜めに形成された下側案内溝６７ｂとを有している。また、上側丸棒６５の下方に、電圧端子５５ａ、５５ｂおよび案内ブロック６７内を貫通する下側丸棒６６が配置されている。さらに、中心棒６９外周にバネ７３が配置され、バネ７３は、上端が案内ブロック６７に当接するとともに下端が下側スライド体６２に当接している。なお、図５に示すように、上側丸棒６５の両端は上側スライド体６１に固定されているが、下側丸棒６６の両端は上側スライド体６１からわずかに離間している。
【００４３】
ところで電圧端子５５ａ（左側）は、スライド機構６０に対して左右方向に移動しないようになっている。これに対して電圧端子５５ｂ（右側）は、上側丸棒６５および下側丸棒６６に沿って左右方向に移動可能となっており、これにより電圧端子５５ａ、５５ｂ間のピッチを調整可能となっている。
【００４４】
次に、このような構成からなる本実施の形態の作用について述べる。
まず、測定しようとする電力量計１に対応する位置決めブロック３１を、電力量計用結線器１０の固定フレーム１１に取付ける。この場合、まず把手部材４９を手前に引くことにより、移動フレーム４１を前方に移動させ、これにより（交換前の）位置決めブロック３１を各割端子２１ａ−２１ｅから引離す。次に、（交換前の）位置決めブロック３１を固定フレーム１１から取外し、これに代えて、測定しようとする電力量計１に対応する位置決めブロック３１を固定フレーム１１に取付ける。この場合、各取付穴３５に、それぞれ固定フレーム１１の位置決めピン１２をそれぞれ挿入する。
【００４５】
次に、把手部材４９を引くのを止めると、バネ（付勢体）５１により移動フレーム４１が後方に戻される。これにより各割端子２１ａ−２１ｅは、それぞれ対応する位置決めブロック３１の切欠部３２内の定位置に配置される。
【００４６】
次に、スライド機構６０の係合突部７１を位置決めブロック３１の係合凹部３６に係合させ、スライド機構６０を左右に位置決めする。この場合、必要に応じ、測定しようとする電力量計１に対応させるために、上側丸棒６５および下側丸棒６６に沿って電圧端子５５ｂを左右方向に移動しても良い。
【００４７】
次に、測定しようとする電力量計１を電力量計用結線器１０の上方に配置し、図示しないスイッチを入とする。これにより、電磁弁４７に電気信号が入力され、電磁弁４７を介して空圧シリンダ４３に加圧空気が送り込まれる。このようにして空圧シリンダ４３により上下移動体４２が上昇する。この際、上下移動体４２の上昇により押出ピン２２も上昇され、各割端子２１ａ−２１ｅが開とされる。これにより、各割端子２１ａ−２１ｅは、それぞれ対応する下方外部端子２の内壁と当接する。
【００４８】
また、上下移動体４２が上昇することにより、各電圧端子５５ａ、５５ｂがそれぞれ電力量計１の側方外部端子３、３に当接する。すなわち、上下移動体４２が上昇することにより、下方から揺動機構７０の中心棒６９とバネ７３が押し上げられ、これにより案内ブロック６７も上昇する。この際、案内ブロック６７は、図７の仮想線に示すように上昇し、これにより下側丸棒６６が前方に移動する（図７の矢印参照）。このようにして下側丸棒６６が前方に移動することにより、各電圧端子５５ａ、５５ｂは、上側丸棒６５を中心に電力量計１の側方外部端子３、３側に揺動して、側方外部端子３、３に当接する（図２の仮想線）。
【００４９】
このようにして、電力量計用結線器１０を介して電力量計１と試験装置の電源側とが結線された後、電力量計１の性能試験を行なう。
【００５０】
次に、電力量計１の性能試験が終了した後、図示しないスイッチを切とする。この際、空圧シリンダ４３により上下移動体４２が下降し、押出ピン２２も下降する。これにより各割端子２１ａ−２１ｅが閉とされ、各割端子２１ａ−２１ｅは、それぞれ対応する下方外部端子２の内壁から離脱する。また上下移動体４２が下降することにより、揺動機構７０を介して電圧端子５５ａ、５５ｂが前方に揺動され、各電圧端子５５ａ、５５ｂは電力量計１の側方外部端子３、３から離脱する。
【００５１】
このように、本実施の形態によれば、各割端子２１ａ−２１ｅは移動フレーム４０内で左右方向に移動可能となり、固定フレーム１１に、各割端子２１ａ−２１ｅの位置決めおよび割端子２１ａ−２１ｅの突出高さを変化させる着脱可能な位置決めブロック３１が設けられているので、電力量計１の各下方外部端子２の間隔や内部構造が各メーカーや機種毎に異なっても、容易に各割端子２１ａ−２１ｅの位置を調整することができる。
【００５２】
また、本実施の形態によれば、各割端子２１ａ−２１ｅは、内部に挿入された押出ピン２２により開閉自在となるので、各割端子２１ａ−２１ｅを確実に下方外部端子２の内壁に当接させることができる。
【００５３】
さらに、本実施の形態によれば、上下移動体４２は移動フレーム本体４１に取付けられた上下駆動機構４３により上下方向に移動し、各押出ピン２２は、上下移動体４２により保持され、上下移動体４２とともに上下方向に移動するので、簡単な構造で割端子２１ａ−２１ｅを開閉することができる。
【００５４】
さらにまた、本実施の形態によれば、電圧端子５５ａ、５５ｂは、揺動機構７０により揺動して電力量計１の側方外部端子３、３に当接するので、電圧端子５５ａ、５５ｂと側方外部端子３、３とを自動で容易に当接させることができる。
【００５５】
さらにまた、本実施の形態によれば、電圧端子５５ａ、５５ｂは、移動フレーム４０の移動フレーム本体４１に左右方向に移動可能に取付けられているので、電力量計１の各側方外部端子３、３の位置および各側方外部端子３、３間の寸法が各メーカーや機種毎に異なっても、各電圧端子５５ａ、５５ｂの左右方向の位置を容易に調整することができる。
【００５６】
さらにまた、本実施の形態によれば、スライド機構６０の係合突部７１を位置決めブロック３１の係合凹部３６に係合させることができるので、各電圧端子５５ａ、５５ｂを容易に位置決めすることができる。
【００５７】
さらにまた、本実施の形態によれば、位置決めブロック３１の長手方向一側面側に、各割端子２１ａ−２１ｅに対応する複数の切欠部３２が形成されているので、各割端子２１ａ−２１ｅを対応する切欠部３２に容易に位置決めすることができる。すなわち各割端子２１ａ−２１ｅを１つずつ移動する必要がなく、各切欠部３２により割端子２１ａ−２１ｅを誘導して適切な位置に配置することができる。
【００５８】
さらにまた、本実施の形態によれば、把手部材４９を引くことにより移動フレーム４０を前方に移動させることができるので、性能試験の対象となる各電力量計１に応じて、位置決めブロック３１を容易に交換することができる。
【図面の簡単な説明】
【００５９】
【図１】本発明による電力量計用結線器の一実施の形態を示す正面図。
【図２】本発明による電力量計用結線器の一実施の形態を示す側面図。
【図３】本発明による電力量計用結線器の一実施の形態を示す平面図。
【図４】割端子および押出ピンの側断面図。
【図５】電圧端子およびスライド機構を示す拡大正面図。
【図６】位置決めブロックの斜視図。
【図７】揺動機構の案内ブロックを示す拡大側面図。
【符号の説明】
【００６０】
１      電力量計
２      下方外部端子
３      側方外部端子
１０    電力量計用結線器
１１    固定フレーム
１２    位置決めピン
１３    ガイド機構
１４    固定底板
２１ａ−ｅ  割端子
２２    押出ピン
２３    金属板
２４    ねじ
２５    樹脂ブロック
３１    位置決めブロック
３２    切欠部
３３    隆起部
３４    平坦部
３５    取付穴
３６    係合凹部
４０    移動フレーム
４１    移動フレーム本体
４２    上下移動体
４３    空圧シリンダ（上下駆動機構）
４４    支持ブロック
４５    取付ボルト
４６    移動底板
４７    電磁弁
４８    ホース
４９    把手部材
５０    ボルト
５１    バネ（付勢体）
５５ａ−ｂ  電圧端子
５６    前面板
６０    スライド機構
６１    上側スライド体
６２    下側スライド体
６３    上側ガイド機構
６４    下側ガイド機構
６５    上側丸棒
６６    下側丸棒
６７    案内プロック
６７ａ  上側案内溝
６７ｂ  下側案内溝
６８    支持棒
６９    中心棒
７０    揺動機構
７１    係合突部
７２    レバー
７３    バネ
【図１】
2008185402.tif 000003
【図２】
2008185402.tif 000004
【図３】
2008185402.tif 000005
【図４】
2008185402.tif 000006
【図５】
2008185402.tif 000007
【図６】
2008185402.tif 000008
【図７】
2008185402.tif 000009